(57)【要約】【課題】  外部機器で記録されたデータのレックレビューを実現する。【解決手段】  ビデオカメラ１００は、レックレビューボタン７による操作に応じて、ＨＤＤ１６に記録される、記録停止時点の直前の一定時間分のデータを要求する要求コマンドをＡＶＨＤＤ２００に対して発行する。そして、ビデオカメラ１００は、その要求コマンドに応じてＡＶＨＤＤ２００から送信されるデータを受信し、表示部３で再生させる。【選択図】  図１
2010161668.tif 000002
【特許請求の範囲】
【請求項１】
第１の記録媒体に対してデータを記録可能な記録装置と通信回線を介して接続される再生装置であって、
操作手段による操作に応じて、前記第１の記録媒体内に記録される、記録停止時点の直前の一定時間分のデータを要求する要求コマンドを前記記録装置に対して発行する要求コマンド発行手段と、
前記要求コマンドに応じて前記記録装置から送信されるデータを受信する受信手段と、
前記受信手段により受信されるデータを再生させる再生手段とを有することを特徴とする再生装置。
【請求項２】
前記操作手段による操作に応じて、当該再生装置に装着可能な第２の記録媒体に記録される、記録停止時点の直前の一定時間分のデータを読み込むデータ読み込み手段を更に有し、
前記再生手段は、前記データ読み込み手段により読み込まれるデータを再生させることを特徴とする請求項１に記載の再生装置。
【請求項３】
前記第１の記録媒体に記録されるデータと前記第２の記録媒体に記録されるデータとの何れを優先させて前記再生手段に再生させるか設定する設定手段を更に有することを特徴とする請求項２に記載の再生装置。
【請求項４】
前記再生手段は、前記設定手段により前記第１の記録媒体に記録されるデータを優先させて再生することが設定され、且つ、前記記録装置と当該再生装置とが通信可能な状態で接続されている場合、前記第１の記録媒体に記録されるデータを再生させることを特徴とする請求項３に記載の再生装置。
【請求項５】
前記再生手段は、前記設定手段により前記第１の記録媒体に記録されるデータを優先して再生することが設定され、且つ、前記記録装置と当該再生装置とが通信可能な状態で接続されていない場合、前記第２の記録媒体に記録されるデータを再生させることを特徴とする請求項３又は４に記載の再生装置。
【請求項６】
前記再生手段は、前記設定手段により前記第２の記録媒体に記録されるデータを優先して再生することが設定され、且つ、当該再生装置に前記第２の記録媒体が装着されている場合、前記第２の記録媒体に記録されるデータを再生させることを特徴とする請求項３乃至５の何れか１項に記載の再生装置。
【請求項７】
前記再生手段は、前記設定手段により前記第２の記録媒体に記録されるデータを優先して再生することが設定され、且つ、当該再生装置に前記第２の記録媒体が装着されていない場合、前記第１の記録媒体に記録されるデータを再生することを特徴とする請求項３乃至６の何れか１項に記載の再生装置。
【請求項８】
データを生成するデータ生成手段と、
前記データ生成手段により生成されるデータを前記記録装置に対して送信する送信手段と、
前記送信手段により送信されるデータを前記第１の記録媒体に記録させるための記録コマンドを前記記録装置に対して発行する記録コマンド発行手段とを更に有することを特徴とする請求項１乃至７の何れか１項に記載の再生装置。
【請求項９】
データを生成するデータ生成手段と、
前記データ生成手段により生成されるデータを前記記録装置に対して送信する送信手段と、
前記送信手段により送信されるデータを前記第１の記録媒体に記録させるための記録コマンドを前記記録装置に対して発行する記録コマンド発行手段と、
前記データ生成手段により生成されるデータを前記第２の記録媒体に記録させる記録制御手段とを更に有することを特徴とする請求項２乃至７の何れか１項に記載の再生装置。
【請求項１０】
データを再生可能な再生装置と通信回線を介して接続され、記録媒体に対してデータを記録可能な記録装置であって、
前記再生装置より発行される要求コマンドに応じて、前記記録媒体内に記録される、記録停止時点の直前の一定時間分のデータを読み込むデータ読み込み手段と、
前記データ読み込み手段により読み込まれたデータを前記再生装置に送信する送信手段とを有することを特徴とする記録装置。
【請求項１１】
前記データ読み込み手段は、前記記録媒体に記録されるデータに対してランダムアクセスが可能であることを特徴とする請求項１０に記載の記録装置。
【請求項１２】
請求項１乃至９の何れか１項に記載の再生装置と、請求項１０又は１１に記載の記録装置とを有することを特徴とする記録再生システム。
【請求項１３】
記録媒体に対してデータを記録可能な記録装置と通信回線を介して接続される再生装置の制御方法であって、
操作手段による操作に応じて、前記記録媒体内に記録される、記録停止時点の直前の一定時間分のデータを要求する要求コマンドを前記記録装置に対して発行する要求コマンド発行ステップと、
前記要求コマンドに応じて前記記録装置から送信されるデータを受信する受信ステップと、
前記受信ステップにより受信されるデータを再生させる再生ステップとを含むことを特徴とする再生装置の制御方法。
【請求項１４】
データを再生可能な再生装置と通信回線を介して接続され、記録媒体に対してデータを記録可能な記録装置の制御方法であって、
前記再生装置より発行される要求コマンドに応じて、前記記録媒体内に記録される、記録停止時点の直前の一定時間分のデータを読み込むデータ読み込みステップと、
前記データ読み込みステップより読み込まれたデータを前記再生装置に送信する送信ステップとを含むことを特徴とする記録装置の制御方法。
【請求項１５】
記録媒体に対してデータを記録可能な記録装置と通信回線を介して接続される再生装置の制御方法をコンピュータに実行させるためのプログラムであって、
操作手段による操作に応じて、前記記録媒体内に記録される、記録停止時点の直前の一定時間分のデータを要求する要求コマンドを前記記録装置に対して発行する要求コマンド発行ステップと、
前記要求コマンドに応じて前記記録装置から送信されるデータを受信する受信ステップと、
前記受信ステップにより受信されるデータを再生させる再生ステップとをコンピュータに実行させるためのプログラム。
【請求項１６】
データを再生可能な再生装置と通信回線を介して接続され、記録媒体に対してデータを記録可能な記録装置の制御方法をコンピュータに実行させるためのプログラムであって、
前記再生装置より発行される要求コマンドに応じて、前記記録媒体内に記録される、記録停止時点の直前の一定時間分のデータを読み込むデータ読み込みステップと、
前記データ読み込みステップより読み込まれたデータを前記再生装置に送信する送信ステップとをコンピュータに実行させるためのプログラム。
【発明の詳細な説明】
【技術分野】
【０００１】
本発明は、映像データ等のレックレビューが可能な技術に関するものである。
【背景技術】
【０００２】
従来から知られているビデオカメラの機能として、「レックレビュー機能」と呼ばれるものがある。この機能は撮影モード時に有効であり、ユーザがビデオカメラに備えられたレックレビューボタンを押すと、ビデオカメラはテープを数秒間巻き戻し、再生した後、元の位置で停止する。このように、ユーザはレックレビュー機能を使うことによって、ビデオカメラの記録媒体に記録した直前の映像を一定時間再生して確認することができる。
【０００３】
一方、業務用向けビデオカメラの中には、記録開始／停止ボタンの押下に応じて、インタフェースに接続されたＡＶＨＤＤやパソコン等の外部機器にも映像を記録できるような外部記録機能を持つものがある。例えば、この外部記録機能を使ってパソコンに映像を記録した場合、記録開始から記録停止までの映像が１つの動画ファイルとして記録されていく。このように、撮影と同時に動画ファイルが生成されるため、撮影後すぐに編集作業に取りかかれるといった利点がある。外部記録機能に関する既知の文献として、特許文献１、２が挙げられる。
【０００４】
【特許文献１】特開２００２−２１８３６５号公報
【特許文献２】特開２００２−２３２８２１号公報
【発明の開示】
【発明が解決しようとする課題】
【０００５】
上述したように、上記の外部記録機能を使えば、テープなどの記録媒体が無くても、ビデオカメラと映像記録可能な外部機器とがあれば撮影を行うことができる。しかしながら、このような撮影方法をとった場合、外部機器に対して上記のレックレビュー機能を使うことができなかったため、テープ等の通常の記録媒体を用いた撮影に比べて、撮影時の利便性が劣っていた。
【０００６】
そこで、本発明の目的は、外部機器で記録されたデータのレックレビューを実現することにある。
【課題を解決するための手段】
【０００７】
本発明の再生装置は、第１の記録媒体に対してデータを記録可能な記録装置と通信回線を介して接続される再生装置であって、操作手段による操作に応じて、前記第１の記録媒体内に記録される、記録停止時点の直前の一定時間分のデータを要求する要求コマンドを前記記録装置に対して発行する要求コマンド発行手段と、前記要求コマンドに応じて前記記録装置から送信されるデータを受信する受信手段と、前記受信手段により受信されるデータを再生させる再生手段とを有することを特徴とする。
本発明の記録装置は、データを再生可能な再生装置と通信回線を介して接続され、記録媒体に対してデータを記録可能な記録装置であって、前記再生装置より発行される要求コマンドに応じて、前記記録媒体内に記録される、記録停止時点の直前の一定時間分のデータを読み込むデータ読み込み手段と、前記データ読み込み手段により読み込まれたデータを前記再生装置に送信する送信手段とを有することを特徴とする。
本発明の再生装置の制御方法は、記録媒体に対してデータを記録可能な記録装置と通信回線を介して接続される再生装置の制御方法であって、操作手段による操作に応じて、前記記録媒体内に記録される、記録停止時点の直前の一定時間分のデータを要求する要求コマンドを前記記録装置に対して発行する要求コマンド発行ステップと、前記要求コマンドに応じて前記記録装置から送信されるデータを受信する受信ステップと、前記受信ステップにより受信されるデータを再生させる再生ステップとを含むことを特徴とする。
本発明の記録装置の制御方法は、データを再生可能な再生装置と通信回線を介して接続され、記録媒体に対してデータを記録可能な記録装置の制御方法であって、前記再生装置より発行される要求コマンドに応じて、前記記録媒体内に記録される、記録停止時点の直前の一定時間分のデータを読み込むデータ読み込みステップと、前記データ読み込みステップより読み込まれたデータを前記再生装置に送信する送信ステップとを含むことを特徴とする。
本発明のプログラムの第１の態様は、記録媒体に対してデータを記録可能な記録装置と通信回線を介して接続される再生装置の制御方法をコンピュータに実行させるためのプログラムであって、操作手段による操作に応じて、前記記録媒体内に記録される、記録停止時点の直前の一定時間分のデータを要求する要求コマンドを前記記録装置に対して発行する要求コマンド発行ステップと、前記要求コマンドに応じて前記記録装置から送信されるデータを受信する受信ステップと、前記受信ステップにより受信されるデータを再生させる再生ステップとをコンピュータに実行させることを特徴とする。
本発明のプログラムの第２の態様は、データを再生可能な再生装置と通信回線を介して接続され、記録媒体に対してデータを記録可能な記録装置の制御方法をコンピュータに実行させるためのプログラムであって、前記再生装置より発行される要求コマンドに応じて、前記記録媒体内に記録される、記録停止時点の直前の一定時間分のデータを読み込むデータ読み込みステップと、前記データ読み込みステップより読み込まれたデータを前記再生装置に送信する送信ステップとをコンピュータに実行させることを特徴とする。
【発明の効果】
【０００８】
本発明においては、記録装置によって記録媒体に記録される、記録停止時点の直前の一定時間分のデータを取得し、再生することが可能である。従って、本発明によれば、記録装置（外部機器）で記録されたデータのレックレビューを実現することができる。
【発明を実施するための最良の形態】
【０００９】
以下、本発明を適用した好適な実施形態を、添付図面を参照しながら詳細に説明する。
【００１０】
（第１の実施形態）
先ず、本発明の第１の実施形態について説明する。
図１は、本発明の第１の実施形態に係るビデオカメラ１００とＡＶＨＤＤ２００とを含む映像記録再生システムの構成を示すブロック図である。１は撮像部である。２はカメラ信号処理回路である。３は表示部である。４はレコーダ信号処理回路である。５は制御回路である。６はトリガボタンである。７はレックレビューボタンである。８はヘッドである。９は装着可能な磁気テープである。１０はヘッドアンプである。１１はサーボ機構である。１２はメニュー操作部である。１３はシリアル通信コントローラＩである。１４はシリアル通信コントローラＩＩである。１５はＨＤＤ制御回路である。１６はＨＤＤである。以上のうち、１〜１３がビデオカメラ１００を構成し、１４〜１６がＨＤＤ１６に対してデータを記録可能なＡＶＨＤＤ２００を構成している。また、シリアル通信コントローラＩ１３とシリアル通信コントローラＩＩ１４とはケーブル（通信回線）で接続されている。なお、ビデオカメラ１００は、本発明の再生装置の適用例となる構成であり、ＡＶＨＤＤ２００は、本発明の記録装置の適用例となる構成である。また、ＨＤＤ１６は、本発明の第１の記録媒体の適用例となる構成であり、磁気テープ９は、本発明の第２の記録媒体の適用例となる構成である。
【００１１】
次に、本実施形態に係る映像記録再生システムの動作について説明する。撮像部１で撮影された映像は、カメラ信号処理回路２により映像信号に変換される。この映像信号はレコーダ信号処理回路４と表示部３に送られ、表示部３で、現在撮影している映像を確認することができる。以下、撮影された映像信号を磁気テープ９へ記録する場合と、ＨＤＤ１６に記録する場合について説明を述べる。なお、カメラ信号処理回路２及びレコーダ信号処理回路４は、本発明のデータ生成手段の適用例となる構成である。
【００１２】
まず、映像信号の磁気テープ９への記録は、次のように行われる。制御回路５は、トリガボタン６が押されたことを検出して、レコーダ信号処理回路４に対してカメラ信号処理回路２から送られてくる映像信号を変調するように制御する。変調された映像信号は、ヘッドアンプ１０で増幅された後、ヘッド８を介して磁気テープ９に記録される。これと共に、制御回路５はサーボ機構１１も制御して記録を行う。トリガボタン６がもう一度押されると、制御回路５は、レコーダ信号処理回路４に対して映像信号の変調を止めるよう制御し、サーボ機構１１も停止させるよう制御する。
【００１３】
次に、ＨＤＤ１６への記録は、次のように行われる。レコーダ信号処理回路４は、カメラ信号処理回路２から送られてくる映像信号を受け、これに各種システムデータを付加した映像信号を、シリアル通信コントローラＩ１３へ送信している。シリアル通信コントローラＩ１３は、撮影時は通常、出力モードに設定されており、ケーブルで接続されているシリアル通信コントローラＩＩ１４へ映像信号のパケットを出力する。この状態で、制御回路５はトリガボタン６が押されたことを検出すると、シリアル通信コントローラＩ１３を通してＲＥＣコマンドを発行する。なお、シリアル通信コントローラＩ１３は、本発明の送信手段の適用例となる構成である。また、ＲＥＣコマンドは、本発明の記録コマンドの適用例となる構成である。
【００１４】
発行されたＲＥＣコマンドは、シリアル通信コントローラＩＩ１４を通してＨＤＤ制御回路１５に送られ、ＨＤＤ制御回路１５はこのコマンドを受けて、ＨＤＤ１６へ映像信号の記録を開始する。このとき、映像信号はパソコンが編集可能な任意の動画データ形式に変換して記録することが可能である。トリガボタン６がもう一度押されると、制御回路５はシリアル通信コントローラＩ１３を通してＲＥＣ ＰＡＵＳＥコマンドを発行する。ＨＤＤ制御回路１５は、このコマンドを受けて、ＨＤＤ１６への映像信号の記録を停止させる。
【００１５】
以上、磁気テープ９への記録とＨＤＤ１６への映像記録について説明した。但し、本実施形態においては、ビデオカメラ１００に接続されたＡＶＨＤＤ２００へ映像信号を記録するかどうかは、ビデオカメラ１００のメニュー画面における外部記録モード設定で設定可能となっている（図２）。メニュー画面は、メニュー操作部１２を操作することによって、表示部３に表示され、外部記録モード設定を行う場合は、図２（ａ）に示すような画面表示となる。ここで、外部記録モード設定をＯＮにしておけば、上述したように、トリガボタン６を押すことによって磁気テープ９とＨＤＤ１６への記録が開始される。
【００１６】
以上述べた処理をフローチャートにしたものを図３と図４に示す。図３はビデオカメラ１００の処理を、図４はＡＶＨＤＤ２００の処理を表している。このうち、Ｓ１〜１２及びＳ３７〜Ｓ４２が上述した映像記録の処理に関するものである。以下、フローチャートの説明を行う。
【００１７】
図３のフローチャートにおいて、制御回路５は、トリガボタン６が押されたか否かを判定する（Ｓ１）。トリガボタン６が押されたことを検知すると、制御回路５は、外部記録モードがＯＮであるか否かを判定する。
【００１８】
外部記録モードがＯＮである場合、制御回路５は、ＡＶＨＤＤ２００がビデオカメラ１００に通信可能な状態で接続されているか否かを判定する（Ｓ３）。ＡＶＨＤＤ２００がビデオカメラ１００に接続されている場合、制御回路５は、ＡＶＨＤＤ２００に対してＲＥＣコマンドを発行する（Ｓ４）。一方、外部記録モードがＯＮでない場合、又は、ＡＶＨＤＤ２００がビデオカメラ１００に接続されてない場合は、ＲＥＣコマンドは発行されない。なお、Ｓ４は、本発明の記録コマンド発行手段の処理例である。
【００１９】
次に、制御回路５は、磁気テープ９がビデオカメラ１００に装着されているか否かを判定する（Ｓ５）。磁気テープ９がビデオカメラ１００に装着されている場合、制御回路５は、レコーダ信号処理回路４に対して映像信号の変調を開始するように制御し、サーボ機構１１を動作させて、磁気テープ９への映像信号の記録を開始する（Ｓ６）。一方、磁気テープ９がビデオカメラ１００に装着されていない場合、磁気テープ９への映像信号の記録は行われることなく、処理は後述のＳ７に移行する。なお、Ｓ６は、本発明の記録制御手段の処理例である。
【００２０】
続いて、制御回路５は、もう一度トリガボタン６が押されたか否かを判定する（Ｓ７）。もう一度トリガボタン６が押されると、制御回路５は、外部記録モードがＯＮであるか否かを判定する（Ｓ８）。
【００２１】
外部記録モードがＯＮである場合、制御回路５は、ＡＶＨＤＤ２００がビデオカメラ１００に通信可能な状態で接続されているか否かを判定する（Ｓ９）。ＡＶＨＤＤ２００が接続されている場合、制御回路５は、シリアル通信コントローラＩ１３を通してＲＥＣ ＰＡＵＳＥコマンドを発行する（Ｓ１０）。一方、外部記録モードがＯＮでない場合、又は、ＡＶＨＤＤ２００がビデオカメラ１００に接続されていない場合は、ＲＥＣ ＰＡＵＳＥコマンドは発行されない。
【００２２】
続いて、制御回路５は、磁気テープ９がビデオカメラ１００に装着されているか否かを判定する（Ｓ１１）。磁気テープ９がビデオカメラ１００に装着されている場合、制御回路５は、レコーダ信号処理回路４での映像信号の変調を停止させると共に、サーボ機構１１も停止させて磁気テープ９への記録を停止する（Ｓ１２）。一方、磁気テープ９がビデオカメラ１００に装着されていない場合は、磁気テープ９に対する映像信号の記録は行われていないので、記録動作の停止処理も行われることはない。
【００２３】
一方、図４のフローチャートにおいて、ＨＤＤ制御回路１５は、ＲＥＣコマンドを受信したか否かを判定する（Ｓ３７）。ＲＥＣコマンドを受信した場合、ＨＤＤ制御回路１５は、ＨＤＤ１６に新しい動画ファイルを生成し（Ｓ３８）、ＨＤＤ１６への映像記録を開始する（Ｓ３９）。
【００２４】
映像信号の記録は、シリアル通信コントローラＩ１３から入力される映像信号を、任意の動画ファイル形式にエンコードしながら行われ、ＨＤＤ制御回路１５がＲＥＣ ＰＡＵＳＥコマンドを受信するまで行われる（Ｓ４０）。ＲＥＣ ＰＡＵＳＥコマンドを受信すると、ＨＤＤ制御回路１５は、動画ファイルへの映像記録を停止し（Ｓ４１）、動画ファイルを保存する（Ｓ４２）。
【００２５】
ここまでは、映像信号の記録について説明を行ったが、ここからはレックレビューに関する説明を行う。本実施形態においては、レックレビューを行う際に、ビデオカメラ１００に接続されたＡＶＨＤＤ２００と磁気テープ９のどちらに対してレックレビューを行うかの設定が可能である。この設定はビデオカメラ１００のメニュー画面におけるレックレビュー設定で設定可能となっている。メニュー画面は、メニュー操作部１２を操作することによって、表示部３に表示され、レックレビュー設定を行う場合は、図２（ｂ）に示すような画面表示となる。ここで、外部優先かテープ優先かを選択することによって、レックレビューを行う際の優先順位を決めることができる。図２（ｂ）に示す画面は、本発明の設定手段の適用例となる構成である。
【００２６】
以下、フローチャートを用いてレックレビュー動作の説明を行う。先ず、図３のフローチャートを用いてビデオカメラ１００の動作から説明する。
【００２７】
Ｓ１において、トリガボタン６が押されていないと判定された場合、制御回路５は、レックレビューボタン７が押されたか否かを判定する（Ｓ１３）。レックレビューボタン７が押された場合、制御回路５は、レックレビュー設定が外部優先となっているかどうかを判断し（Ｓ１４）、外部優先となっている場合はＳ１５へ処理を進める。なお、レックレビューボタン７は、本発明の操作手段の適用例となる構成である。
【００２８】
続いて、制御回路５は、外部記録モードがＯＮとなっているか否かを判定する（Ｓ１５）。外部記録モードがＯＮになっている場合、制御回路５は、ビデオカメラ１００に０ＡＶＨＤＤ２００が通信可能な状態で接続されているか否かを判定する（Ｓ１６）。ＡＶＨＤＤ２００が接続されている場合、制御回路５はシリアル通信コントローラＩ１３を通してレックレビューコマンドを発行する（Ｓ１７）。なお、レックレビューコマンドは、本発明の要求コマンドの適用例となる構成であり、Ｓ１７は、本発明の要求コマンド発行手段の処理例である。
【００２９】
続いて、制御回路５は、シリアル通信コントローラＩ１３に映像入力要求コマンドが入力されるのを待つ（Ｓ１８）。映像入力要求コマンドを入力すると、制御回路５は、シリアル通信コントローラＩ１３とレコーダ信号処理回路４を映像入力モードに設定して映像信号の入力を開始する（Ｓ１９）。制御回路５は、入力された映像信号がレコーダ信号処理回路４を通して表示部３で表示（再生）されるようにレコーダ信号処理回路４を制御する。なお、Ｓ１９は、本発明の受信手段の処理例であり、表示部３で映像信号が表示される処理は、本発明の再生手段の処理例である。
【００３０】
映像表示後、制御回路５は、ＡＶＨＤＤ２００から入力される映像信号が無くなったか否かを判定する（Ｓ２０）。ＡＶＨＤＤ２００から入力される映像信号が無くなった場合、制御回路５は、シリアル通信コントローラＩＩ１４とレコーダ信号処理回路４を出力モードに設定して（Ｓ２１）、レックレビュー処理を終了する。
【００３１】
また、Ｓ１５又はＳ１６からＳ２２へと処理を進めた場合、制御回路５は、サーボ機構１１を制御して磁気テープ９をここでは３秒間分巻き戻す（Ｓ２３）。次に、制御回路５は、ヘッドアンプ１０を介して映像信号を読み込み、レコーダ信号処理回路４に送り、記録停止時点の直前の３秒間分の映像信号を表示部３上で表示（再生）させる（Ｓ２４、ｓＳ２５）。なお、ヘッドアンプ１０を介して映像信号を読み込む処理は、本発明のデータ読み込み手段の処理例である。
【００３２】
上記の説明はレックレビュー設定が外部優先になっている場合であったが、同設定がテープ優先になっている場合はＳ１４からＳ２６へ処理が進められる。Ｓ２６において、磁気テープ９がセットされている場合はＳ２７に、セットされていない場合はＳ３０に処理を進める。ここで、Ｓ２７〜Ｓ２９の処理は上述したＳ２３〜Ｓ２５の処理と同様であり、Ｓ３０〜Ｓ３６の処理は同じく上述したＳ１５〜Ｓ２１の処理と同様であるので、詳細な説明は省略する。
【００３３】
次に、図４のフローチャートを用いてＡＶＨＤＤ２００の動作を説明する。Ｓ３７において、ＲＥＣコマンドを受信していないと判定された場合、ＨＤＤ制御回路１５は、レックレビューコマンドを受信したか否かを判定する（Ｓ４３）。
【００３４】
レックレビューコマンドを受信した場合、ＨＤＤ制御回路１５は、ＨＤＤ１６内における動画ファイルの有無を調べる（Ｓ４４）。動画ファイルが存在する場合、ＨＤＤ制御回路１５は、生成日時が最新の動画ファイルを開く（Ｓ４５）。なお、Ｓ４５は、本発明のデータ読み込み手段の処理例である。
【００３５】
続いて、ＨＤＤ制御回路１５は、シリアル通信コントローラＩＩ１４を通して、映像入力コマンドをビデオカメラ１００に発行する（Ｓ４６）。
【００３６】
続いて、ＨＤＤ制御回路１５は、動画ファイルのラスト３秒間分（一定時間分）を読み出して、元の映像信号にデコードしながら、シリアル通信コントローラＩＩ１４を通してデコードされた映像信号をビデオカメラ１００へ出力する（Ｓ４７）。その後、ＨＤＤ制御回路１５は開いた動画ファイルを閉じてレックレビュー処理を終了する（Ｓ４８）。なお、Ｓ４７は、本発明の送信手段の処理例である。
【００３７】
上記実施形態では、ビデオカメラ１００内部の記録媒体が磁気テープの場合について説明したが、この記録媒体としては、半導体メモリ、光ディスク等を用いてもよい。
【００３８】
上述した実施形態は、ビデオカメラ１００に接続されたＡＶＨＤＤ２００へ映像の記録を行った場合でも、ビデオカメラ１００内の磁気テープ９に対する記録操作と同様な操作で、ＡＶＨＤＤ２００に対するレックレビューを行うことが可能となる。そのため、ＡＶＨＤＤ２００を操作することなく、磁気テープ９等に記録された映像確認と同等の感覚でＡＶＨＤＤ２００に記録した映像の確認が行えるようになる。また、ＡＶＨＤＤ２００やパソコンはランダムアクセスが可能な機器であるため、テープ媒体でレックレビューを行う場合に必要な巻き戻し動作を省くことができる。従って、レスポンスに優れた軽快なレックレビューが可能になる。さらに、ＡＶＨＤＤ２００に映像確認用のモニタを設ける必要がなくなるため、撮影機材の軽量、省スペース化や、コストダウンの効果も期待できる。
【００３９】
（第２の実施形態）
次に、本発明の第２の実施形態について説明する。
図５は、本発明の第２の実施形態に係る映像記録再生システムの構成を示すブロック図である。本実施形態に係る映像記録再生システムは、撮像機能のみを持った撮像装置３００とＡＶＨＤＤ２００とから構成される。
【００４０】
上記撮像装置３００は、第１の実施形態で述べたビデオカメラ１００から内部の磁気テープ記録機構を取り除いたものである。１〜７及び１３〜１６の構成要素については、図１と同様であるので、同じ番号を付した。ここでは各構成要素の説明は省略する。
【００４１】
本実施形態のような映像記録再生システムにおいては、制御回路５のフローチャートは図６のように簡素化される。制御回路５は、トリガボタン６が押されたか否かを判定する（Ｓ１０１）。トリガボタン６が押された場合、制御回路５は、ＡＶＨＤＤ２００が撮像装置３００に接続されているか否かを判定する（Ｓ１０２）。
【００４２】
ＡＶＨＤＤ２００が撮像装置３００に接続されている場合、制御回路５は、シリアル通信コントローラＩ１３を通してＲＥＣコマンドを発行する（Ｓ１０３）。
【００４３】
続いて、制御回路５は、再びトリガボタン６が押されたか否かを判定する（Ｓ１０４）。再びトリガボタン６が押された場合、制御回路５は、シリアル通信コントローラＩ１３を通してＲＥＣ ＰＡＵＳＥコマンドを発行する（Ｓ１０５）。
【００４４】
一方、Ｓ１０１において、トリガボタン６が押されていないと判定された場合、制御回路５は、レックレビューボタン７が押されたか否かを判定する（Ｓ１０６）。
【００４５】
レックレビューボタン７が押された場合、制御回路５は、撮像装置３００にＡＶＨＤＤ２００が接続されているか否かを判定する（Ｓ１０７）。撮像装置３００にＡＶＨＤＤ２００が接続されている場合、制御回路５は、シリアル通信コントローラＩ１３を通してレックレビューコマンドを発行する（Ｓ１０８）。
【００４６】
続いて、制御回路５は、シリアル通信コントローラＩ１３を通して映像入力要求コマンドの受信を待つ（Ｓ１０９）。映像入力要求コマンドを受信した場合、制御回路５は、シリアル通信コントローラＩ１３とレコーダ信号処理回路４を映像入力モードに設定して（Ｓ１１０）、映像信号の入力を開始する。制御回路５は、入力された映像信号がレコーダ信号処理回路４を通して表示部３で表示されるようにレコーダ信号処理回路４を制御する。
【００４７】
続いて、制御回路５は、ＡＶＨＤＤ２００から入力される映像信号が無くなったか否かを判定する（Ｓ１１１）。ＡＶＨＤＤ２００から入力される映像信号が無くなった場合、制御回路５は、シリアル通信コントローラＩＩ１４とレコーダ信号処理回路４を出力モードに設定して（Ｓ１１２）、レックレビュー処理を終了する。
【００４８】
以上、制御回路５の動作について説明したが、ＨＤＤ制御回路１５の動作は第１の実施形態で説明した内容と同様であるので、本実施形態では省略する。
【００４９】
なお、上記各実施形態では、ビデオカメラ１００や撮像装置３００に接続される外部機器がＡＶＨＤＤ２００である場合について述べたが、代わりにノートパソコンや小型ＶＴＲ機器等を用いてもよい。
【００５０】
また、上記各実施形態では、外部機器と接続するインタフェースがシリアル通信の場合について述べたが、代わりに無線通信や光通信等を用いてもよい。
【００５１】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００５２】
この場合、記憶媒体から読み出されたプログラムコード自体が前述した実施形態の機能を実現することになり、プログラムコード自体及びそのプログラムコードを記憶した記憶媒体は本発明を構成することになる。
【００５３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５４】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００５５】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００５６】
【図１】本発明の第１の実施形態に係る映像記録再生システムの構成を示すブロック図である。
【図２】メニュー画面の一例を示す図である。
【図３】本発明の第１の実施形態におけるビデオカメラの処理を示すフローチャートである。
【図４】本発明の第１の実施形態におけるＡＶＨＤＤの処理を示すフローチャートである。
【図５】本発明の第２の実施形態に係る映像記録再生システムの構成を示すブロック図である。
【図６】本発明の第２の実施形態における撮像装置の処理を示すフローチャートである。
【符号の説明】
【００５７】
１  撮像部
２  カメラ信号処理回路
３  表示部
４  レコーダ信号処理回路
５  制御回路
６  トリガボタン
７  レックレビューボタン
８  ヘッド
９  磁気テープ
１０  ヘッドアンプ
１１  サーボ機構
１２  メニュー操作部
１３  シリアル通信コントローラＩ
１４  シリアル通信コントローラＩＩ
１５  ＨＤＤ制御回路
１６  ＨＤＤ
１００  ビデオカメラ
２００  ＡＶＨＤＤ
３００  撮像装置
【図１】
2010161668.tif 000003
【図２】
2010161668.tif 000004
【図３】
2010161668.tif 000005
【図４】
2010161668.tif 000006
【図５】
2010161668.tif 000007
【図６】
2010161668.tif 000008